(57)【要約】【課題】本発明は、データリスト作成システム、データ実行処理システム、サーバ、リスト作成端末、及びデータ実行処理端末に関し、データベース内のデータの実行処理を適切に行うことを目的とする。【解決手段】データベース内の曲データを提供するサーバ２２と、サーバ２２から提供を受けた曲データのカラオケ再生を行う車載端末２０と、を設ける。車載端末２０や携帯電話等において所定の操作を行うことにより、サーバ２２内にその利用者がカラオケを行う頻度の高い好みの曲名がリスト化された利用者ごとの「お気に入りリスト」を保存させる。そして、車載端末２０においてカラオケ再生を行う曲を指定する際にサーバ２２から「お気に入りリスト」を取り込み、一曲を指定してその曲データをサーバ２２からダウンロードし、カラオケ再生を行う。【選択図】　　　　図１
2004109350.tif 000002
【特許請求の範囲】
【請求項１】
複数のデータを有するデータベース内において所定の検索を行う検索手段と、前記データベース内のデータおよび前記検索手段の検索結果を提供する提供手段と、を有するサーバと、
前記サーバと通信可能な、前記提供手段により提供された前記検索手段の検索結果に基づいた利用者による操作により前記サーバに保存すべきデータリストを作成するデータリスト作成手段を有するリスト作成端末と、
を備えることを特徴とするデータリスト作成システム。
【請求項２】
前記データリスト作成手段は、前記検索手段の検索結果のうちから前記サーバに保存すべきデータリストの各データを抽出する抽出手段を備えることを特徴とする請求項１記載のデータリスト作成システム。
【請求項３】
前記データリスト作成手段は、前記サーバに保存されたデータリストから指定されたデータを削除する指定データ削除手段を備えることを特徴とする請求項１又は２記載のデータリスト作成システム。
【請求項４】
前記リスト作成端末は、また、前記検索手段の検索結果と共に、前記データリストに最大登録される最大登録数および現在登録されている登録数を表示する表示手段を有することを特徴とする請求項１乃至３の何れか一項記載のデータリスト作成システム。
【請求項５】
前記リスト作成端末は、また、前記サーバに保存されたデータリストを取り込むリスト取込手段と、前記リスト取込手段により取り込まれたデータリスト内のデータのうちから利用者により指定されたデータを前記サーバから取得するダウンロード手段と、前記ダウンロード手段により取得されたデータを実行処理する実行手段と、を有することを特徴とする請求項１乃至４の何れか一項記載のデータリスト作成システム。
【請求項６】
請求項１乃至４の何れか一項記載のデータリスト作成システムを用いて前記サーバに保存されたデータリストを取り込むリスト取込手段と、前記リスト取込手段により取り込まれたデータリスト内のデータのうちから利用者により指定されたデータを前記サーバから取得するダウンロード手段と、前記ダウンロード手段により取得されたデータを実行処理する実行手段と、を有するデータ実行処理端末を備えることを特徴とするデータ実行処理システム。
【請求項７】
複数のデータを有するデータベース内のデータを提供する提供手段を有するサーバと、
前記サーバと通信可能な、利用者による操作により前記サーバに保存すべきデータリストを作成するデータリスト作成手段を有するリスト作成端末と、
を備えることを特徴とするデータリスト作成システム。
【請求項８】
前記リスト作成端末は、車両に搭載され、車両走行中は前記データリスト作成手段による前記データリストの作成が規制される車載端末であると共に、
前記サーバと通信可能な、車両走行中にも車両に搭乗する利用者による操作により前記サーバに保存すべきデータリストを作成可能なデータリスト作成手段を有する携帯端末を備えることを特徴とする請求項７記載のデータリスト作成システム。
【請求項９】
請求項７又は８記載のデータリスト作成システムを用いて前記サーバに保存されたデータリスト内のデータを利用者による操作により所定の順序で取得するダウンロード手段と、前記ダウンロード手段により取得されたデータを実行処理する実行手段と、を有するデータ実行処理端末を備えることを特徴とするデータ実行処理システム。
【請求項１０】
前記ダウンロード手段は、前記実行手段による一のデータの実行処理が終了した後、自動的に前記データリスト内の次のデータを取得することを特徴とする請求項９記載のデータ実行処理システム。
【請求項１１】
請求項１乃至４の何れか一項記載のデータリスト作成システムを用いて前記サーバに保存されたデータリスト、及び、請求項７又は８記載のデータリスト作成システムを用いて前記サーバに保存されたデータリストの何れか一方を利用者に選択させる選択手段と、前記選択手段により選択されたデータリスト内のデータを取得するダウンロード手段と、前記ダウンロード手段により取得されたデータを実行処理する実行手段と、を有するデータ実行処理端末を備えることを特徴とするデータ実行処理システム。
【請求項１２】
複数のデータを有するデータベース内において所定の検索を行う検索手段と、
前記データベース内のデータおよび前記検索手段の検索結果を提供する提供手段と、
リスト作成端末において前記提供手段により提供された前記検索手段の検索結果に基づいた利用者による操作が行われることにより該利用者ごとのデータリストを作成・保存するリスト保存手段と、
を有することを特徴とするサーバ。
【請求項１３】
利用者による操作により、通信接続するサーバに保存すべきデータリストを作成するデータリスト作成手段を有することを特徴とするリスト作成端末。
【請求項１４】
前記データリスト作成手段は、前記サーバが行った複数のデータを有するデータベース内における所定の検索による検索結果のうちから該サーバに保存すべきデータリストの各データを抽出する抽出手段を備えることを特徴とする請求項１３記載のリスト作成端末。
【請求項１５】
前記データリスト作成手段は、前記サーバに保存されたデータリストから指定されたデータを削除する指定データ削除手段を備えることを特徴とする請求項１３又は１４記載のリスト作成端末。
【請求項１６】
前記サーバに保存されたデータリストと共に、該データリストに最大登録される最大登録数および現在登録されている登録数を表示する表示手段を有することを特徴とする請求項１３乃至１５の何れか一項記載のリスト作成端末。
【請求項１７】
サーバに保存された所定のデータリストを取り込むリスト取込手段と、
前記リスト取込手段により取り込まれたデータリスト内のデータのうちから利用者により指定されたデータを前記サーバから取得するダウンロード手段と、
前記ダウンロード手段により取得されたデータを実行処理する実行手段と、
を備えることを特徴とするデータ実行処理端末。
【請求項１８】
複数のデータを有するデータベース内のデータを提供する提供手段と、
リスト作成端末において利用者による操作が行われることにより該利用者ごとのデータリストを作成・保存するリスト保存手段と、
を有することを特徴とするサーバ。
【請求項１９】
サーバに保存された所定のデータリスト内のデータを利用者による操作により所定の順序で取得するダウンロード手段と、
前記ダウンロード手段により取得されたデータを実行処理する実行手段と、
を有することを特徴とするデータ実行処理端末。
【請求項２０】
前記ダウンロード手段は、前記実行手段による一のデータの実行処理が終了した後、自動的に前記データリスト内の次のデータを取得することを特徴とする請求項１９記載のデータ実行処理端末。
【請求項２１】
サーバに保存された互いに内容の異なる複数のデータリストの何れかを利用者に選択させる選択手段と、
前記選択手段により選択されたデータリスト内のデータを取得するダウンロード手段と、
前記ダウンロード手段により取得されたデータを実行処理する実行手段と、
を有することを特徴とするデータ実行処理端末。
【発明の詳細な説明】
【０００１】
【発明の属する技術分野】
本発明は、データリスト作成システム、データ実行処理システム、サーバ、リスト作成端末、及びデータ実行処理端末に係り、特に、例えば通信カラオケ等のデータベース内のデータを端末において実行処理させるうえで好適なデータリスト作成システム、データ実行処理システム、サーバ、リスト作成端末、及びデータ実行処理端末に関する。
【０００２】
【従来の技術】
従来より、配信センタから端末へ曲データをダウンロードし、その曲データを端末において再生処理するオーディオシステムが知られている（例えば、特許文献１参照）。このシステムにおいて、利用者は、まず、配信センタに選曲リストを作成するべく例えば歌手名や演奏者名，曲名に含まれる文字列を端末において入力する。配信センタは、端末から選曲リストの作成要求がなされた場合、複数のデータを有する所定のデータベース内において端末からの入力文字列に従って検索を行い、その検索結果を選曲リストとして端末に返送する。利用者は、端末に返送された選曲リストから受信を希望する曲データを指定する。そして、配信センタは、選曲リストのうちから指定された曲データをその端末に向けて配信する。従って、上記従来のシステムによれば、端末利用者の要求に応じた曲データを端末において再生演奏することが可能となる。
【０００３】
【特許文献１】
特開２００１−２６５３５９号公報。
【０００４】
【発明が解決しようとする課題】
しかしながら、上記従来のシステムにおいて、選曲リストは、利用者の要求する検索条件に合致するものではあるが、配信センタの検索したものである。このため、かかるシステムにおいて、選曲リスト内の曲データのすべてが利用者の希望するものであることは極めて少なく、利用者にとって有効な選曲リストが作成されているものとは言い難い。また、特に端末が車載端末である場合には、車両の走行中に端末の操作を行うことは禁止されるので、曲データの配信ごとに利用者による操作を要するものとすると、曲データの配信が適切に行われない事態が生じ得る。
【０００５】
本発明は、上述の点に鑑みてなされたものであり、データベース内のデータの実行処理を適切に行うことが可能なデータリスト作成システム、データ実行処理システム、サーバ、リスト作成端末、及びデータ実行処理端末を提供することを目的とする。
【０００６】
【課題を解決するための手段】
上記の目的は、請求項１に記載する如く、複数のデータを有するデータベース内において所定の検索を行う検索手段と、前記データベース内のデータおよび前記検索手段の検索結果を提供する提供手段と、を有するサーバと、
前記サーバと通信可能な、前記提供手段により提供された前記検索手段の検索結果に基づいた利用者による操作により前記サーバに保存すべきデータリストを作成するデータリスト作成手段を有するリスト作成端末と、
を備えるデータリスト作成システムにより達成される。
【０００７】
また、上記の目的は、請求項１２に記載する如く、複数のデータを有するデータベース内において所定の検索を行う検索手段と、
前記データベース内のデータおよび前記検索手段の検索結果を提供する提供手段と、
リスト作成端末において前記提供手段により提供された前記検索手段の検索結果に基づいた利用者による操作が行われることにより該利用者ごとのデータリストを作成・保存するリスト保存手段と、
を有するサーバにより達成される。
【０００８】
更に、上記の目的は、請求項１３に記載する如く、利用者による操作により、通信接続するサーバに保存すべきデータリストを作成するデータリスト作成手段を有するリスト作成端末により達成される。
【０００９】
請求項１、１２、及び１３記載の発明において、サーバには、利用者による操作により作成されたデータリストが保存される。この場合、データリスト内のデータはすべて利用者の希望するものであるため、このデータリストから配信を希望するデータを指定できれば、利用者にとってより効果的であり便宜である。従って、本発明によれば、利用者が配信希望のデータを指定する際により効果的なデータがリスト化されたデータリストをサーバから提供させることができる。
【００１０】
この場合、請求項２に記載する如く、請求項１記載のデータリスト作成システムにおいて、前記データリスト作成手段は、前記検索手段の検索結果のうちから前記サーバに保存すべきデータリストの各データを抽出する抽出手段を備えることとしてもよい。
【００１１】
また、請求項１４に記載する如く、請求項１３記載のリスト作成端末において、前記データリスト作成手段は、前記サーバが行った複数のデータを有するデータベース内における所定の検索による検索結果のうちから該サーバに保存すべきデータリストの各データを抽出する抽出手段を備えることとしてもよい。
【００１２】
尚、請求項３に記載する如く、請求項１又は２記載のデータリスト作成システムにおいて、前記データリスト作成手段は、前記サーバに保存されたデータリストから指定されたデータを削除する指定データ削除手段を備えることとすれば、サーバのデータリストから不要なデータを取り除くことができる。
【００１３】
また、請求項１５に記載する如く、請求項１３又は１４記載のリスト作成端末において、前記データリスト作成手段は、前記サーバに保存されたデータリストから指定されたデータを削除する指定データ削除手段を備えることとすれば、サーバのデータリストから不要なデータを取り除くことができる。
【００１４】
尚、請求項４に記載する如く、請求項１乃至３の何れか一項記載のデータリスト作成システムにおいて、前記リスト作成端末は、また、前記検索手段の検索結果と共に、前記データリストに最大登録される最大登録数および現在登録されている登録数を表示する表示手段を有することとすれば、現時点で登録可能な残りのデータ数を利用者が認識することができるので、配信頻度の低いデータをサーバのデータリストに加えるのを防止することができる。
【００１５】
また、請求項１６に記載する如く、請求項１３乃至１５の何れか一項記載のリスト作成端末において、前記サーバに保存されたデータリストと共に、該データリストに最大登録される最大登録数および現在登録されている登録数を表示する表示手段を有することとすれば、現時点で登録可能な残りのデータ数を利用者が認識することができるので、配信頻度の低いデータをデータリストに加えるのを防止することができる。
【００１６】
これらの場合、請求項５に記載する如く、請求項１乃至４の何れか一項記載のデータリスト作成システムにおいて、前記リスト作成端末は、また、前記サーバに保存されたデータリストを取り込むリスト取込手段と、前記リスト取込手段により取り込まれたデータリスト内のデータのうちから利用者により指定されたデータを前記サーバから取得するダウンロード手段と、前記ダウンロード手段により取得されたデータを実行処理する実行手段と、を有することとすれば、利用者にとって効果的なデータがリスト化されたデータリストをリスト作成端末に取得させることができ、実行処理すべきデータを利用者に適切に指定させることができる。
【００１７】
また、請求項６に記載する如く、請求項１乃至４の何れか一項記載のデータリスト作成システムを用いて前記サーバに保存されたデータリストを取り込むリスト取込手段と、前記リスト取込手段により取り込まれたデータリスト内のデータのうちから利用者により指定されたデータを前記サーバから取得するダウンロード手段と、前記ダウンロード手段により取得されたデータを実行処理する実行手段と、を有するデータ実行処理端末を備えるデータ実行処理システムによれば、利用者にとって効果的なデータがリスト化されたデータリストをデータ実行処理端末に取得させることができ、実行処理すべきデータを利用者に適切に指定させることができる。
【００１８】
更に、請求項１７に記載する如く、サーバに保存された所定のデータリストを取り込むリスト取込手段と、
前記リスト取込手段により取り込まれたデータリスト内のデータのうちから利用者により指定されたデータを前記サーバから取得するダウンロード手段と、
前記ダウンロード手段により取得されたデータを実行処理する実行手段と、
を備えるデータ実行処理端末によれば、利用者にとって効果的なデータがリスト化されたデータリストを取得することができ、実行処理すべきデータを利用者に適切に指定させることができる。
【００１９】
上記の目的は、請求項７に記載する如く、複数のデータを有するデータベース内のデータを提供する提供手段を有するサーバと、
前記サーバと通信可能な、利用者による操作により前記サーバに保存すべきデータリストを作成するデータリスト作成手段を有するリスト作成端末と、
を備えるデータリスト作成システムにより達成される。
【００２０】
また、上記の目的は、請求項１８に記載する如く、複数のデータを有するデータベース内のデータを提供する提供手段と、
リスト作成端末において利用者による操作が行われることにより該利用者ごとのデータリストを作成・保存するリスト保存手段と、
を有するサーバにより達成される。
【００２１】
請求項７及び１８記載の発明において、サーバには、リスト作成端末における利用者による操作により作成されたデータリストが保存される。この場合、データリスト内のデータはすべて利用者の希望するものであるため、このデータリスト内の何れのデータを配信しても、利用者にとってより効果的であり便宜である。従って、本発明によれば、利用者にとって効果的なデータがリスト化されたデータリスト内のデータをサーバから提供させることができる。
【００２２】
この場合、請求項８に記載する如く、請求項７記載のデータリスト作成システムにおいて、前記リスト作成端末は、車両に搭載され、車両走行中は前記データリスト作成手段による前記データリストの作成が規制される車載端末であると共に、前記サーバと通信可能な、車両走行中にも車両に搭乗する利用者による操作により前記サーバに保存すべきデータリストを作成可能なデータリスト作成手段を有する携帯端末を備えることとすれば、車両走行中には車載端末を用いてデータリストの作成やデータの追加，削除等を行うことはできない一方、利用者の携帯端末を用いてデータリストの作成等を行うことができる。
【００２３】
また、請求項９に記載する如く、請求項７又は８記載のデータリスト作成システムを用いて前記サーバに保存されたデータリスト内のデータを利用者による操作により所定の順序で取得するダウンロード手段と、前記ダウンロード手段により取得されたデータを実行処理する実行手段と、を有するデータ実行処理端末を備えるデータ実行処理システムによれば、利用者にとって効果的なデータがリスト化されたデータリスト内のデータを所定の順序でデータ実行処理端末に取得させることができ、複数のデータの実行処理を行わせることができる。
【００２４】
更に、請求項１９に記載する如く、サーバに保存された所定のデータリスト内のデータを利用者による操作により所定の順序で取得するダウンロード手段と、
前記ダウンロード手段により取得されたデータを実行処理する実行手段と、
を有するデータ実行処理端末によれば、利用者にとって効果的なデータがリスト化されたデータリスト内のデータを所定の順序で取得することができ、複数のデータの実行処理を行うことができる。
【００２５】
尚、この場合、請求項１０に記載する如く、請求項９記載のデータ実行処理システムにおいて、前記ダウンロード手段は、前記実行手段による一のデータの実行処理が終了した後、自動的に前記データリスト内の次のデータを取得することとすれば、データ取得ごとに利用者による操作を要することなく複数のデータの実行処理を行うことができる。
【００２６】
また、請求項２０に記載する如く、請求項１９記載のデータ実行処理端末において、前記ダウンロード手段は、前記実行手段による一のデータの実行処理が終了した後、自動的に前記データリスト内の次のデータを取得することとすれば、データ取得ごとに利用者による操作を要することなく複数のデータの実行処理を行うことができる。
【００２７】
上記の目的は、請求項１１に記載する如く、請求項１乃至４の何れか一項記載のデータリスト作成システムを用いて前記サーバに保存されたデータリスト、及び、請求項７又は８記載のデータリスト作成システムを用いて前記サーバに保存されたデータリストの何れか一方を利用者に選択させる選択手段と、前記選択手段により選択されたデータリスト内のデータを取得するダウンロード手段と、前記ダウンロード手段により取得されたデータを実行処理する実行手段と、を有するデータ実行処理端末を備えるデータ実行処理システムにより達成される。
【００２８】
また、上記の目的は、請求項２１に記載する如く、サーバに保存された互いに内容の異なる複数のデータリストの何れかを利用者に選択させる選択手段と、
前記選択手段により選択されたデータリスト内のデータを取得するダウンロード手段と、
前記ダウンロード手段により取得されたデータを実行処理する実行手段と、
を有するデータ実行処理端末により達成される。
【００２９】
請求項１１及び２１記載の発明において、データ実行処理端末は、データを取得すべく、サーバに保存された互いに内容の異なる複数のデータリストの何れかを利用者に選択させると共に、その選択されたデータリスト内から取得されたデータを実行処理する。かかる構成においては、データ選択の自由度を高めることができ、データ実行処理端末におけるデータの実行処理を適切に行わせることができる。
【００３０】
【発明の実施の形態】
図１は、本発明の一実施例であるシステムの全体構成図を示す。尚、図１には、本実施例のシステムの、後述するカラオケモード時における構成図を示す。図１に示す如く、本実施例のシステムは、車両に搭載される情報端末（以下、単に車載端末と称す）２０と、車載端末２０に情報を提供するサービス提供用サーバ（以下、単にサーバと称す）２２と、を備えている。車載端末２０は、携帯電話や自動車電話等からなる通信部２４を有し、通信部２４を用いて無線通信回線を介してサーバ２２と通信可能に構成されている。
【００３１】
本実施例のシステムは、車室内において搭乗者にカラオケを行わせ或いはＢＧＭを流すべく、サーバ２２と車載端末２０との間で曲データの授受のための通信を行う車両用楽曲配信システムである。サーバ２２は、多数の曲データが格納されたデータベースを有している。曲データは、曲名，歌手名，作曲家名，演奏情報，歌詞情報等により構成されている。また、曲データにはそれぞれ、固有の識別番号（例えば５桁等）が付されている。
【００３２】
車載端末２０は、車両搭乗者に操作される操作入力部と車両搭乗者に対して視認可能な表示部とを一体にしたタッチディスプレイ２６を有している。タッチディスプレイ２６には、後に詳述する如く、曲データ取得時はサーバ２２の曲データを取得するための入力部が現れ、また、カラオケ再生時はその歌詞および映像情報と共に入力部が現れる。車載端末２０は、また、一曲分の曲データを一時記憶するＲＡＭと、カラオケ用のマイクと、車室内に向けて曲の演奏を行うと共にマイクに入力された音声を出力するスピーカと、を有している。
【００３３】
また、サーバ２２は、車載端末２０以外に、携帯電話やパソコン，ＰＤＡ等の携帯端末，コンビニエンスストア等に設置されたＫＩＯＳＫ端末等と通信回線を介して通信可能である。サーバ２２は、回線接続する端末に、データベースに格納された曲データのうちすべて又はその一部のデータについて提供し得る。パソコンやＰＤＡ，ＫＩＯＳＫ端末は、メモリカードスロットを有し、メモリカードスロットに挿入されたＳＤ（Ｓｅｃｕｒｅ　Ｄｉｇｉｔａｌ）カードに、サーバ２２のデータベースに格納された曲データのうち曲名，歌手名，作曲家名，ジャンル名，固有識別番号（以下、これらのデータを曲識別データと称す）を書き込むことが可能となっている。ＳＤカードは、例えば３０００曲分の曲識別データを書込可能に構成されている。車載端末２０は、メモリカードスロット２８を有している。車載端末２０は、メモリカードスロット２８に挿入されたＳＤカードに書き込まれた曲識別データから後述の規則に従って検索し、その検索結果から選曲・指定された曲をサーバ２２から取得し得る。
【００３４】
次に、図２乃至図１４を参照して、本実施例のシステムの動作について説明する。
【００３５】
本実施例の車両用楽曲配信システムは、車載端末２０においてタッチディスプレイ２６に表示されたアプリケーション起動ボタンの押下により起動される。そして、利用者ＩＤとパスワードが入力された後にメニュー画面からカラオケコースが選択された場合には搭乗者にカラオケを行わせるモード（以下、カラオケモードと称す）に移行し、一方、ＢＧＭコースが選択された場合には車室内にＢＧＭを流すモード（以下、ＢＧＭモードと称す）に移行する。
【００３６】
図２及び図３はそれぞれ、本実施例においてカラオケモード又はＢＧＭモードが開始された後における車載端末２０のタッチディスプレイ２６の表示画面を模式的に表した図を示す。尚、図３に示す表示画面は、図２に示す表示画面よりも下の階層における表示画面である。カラオケモード又はＢＧＭモードが開始されると、タッチディスプレイ２６の表示画面には、図２に示す如く、“選曲メニュー”ボタンが現れる。
【００３７】
本実施例のシステムにおいて、車室内において搭乗者がカラオケを行う際の選曲手法としては、▲１▼番号選曲、▲２▼お気に入り選曲、▲３▼ローカル選曲、▲４▼十八番曲、および▲５▼予約再生の５つがある。また、車室内にＢＧＭを流す際の選曲手法としては、▲１▼ライブチャンネル選曲および▲２▼予約再生の２つがある。図２に示す表示画面において“選曲メニュー”ボタンが押下されると、タッチディスプレイ２６の表示画面は、図２に示す画面から図３に示す画面へ切り替わる。
【００３８】
図３に示す表示画面においては、カラオケモード時には“ライブチャンネル”ボタン以外の“番号選曲”、“お気に入り”、“ＳＤ選曲”、“十八番曲”、及び“予約再生”の各ボタンが操作可能にアクティブとなり、“ライブチャンネル”ボタンが操作不可能にトーンダウンする。一方、ＢＧＭモード時には“予約再生”及び“ライブチャンネル”の各ボタンが操作可能にアクティブとなり、“番号選曲”、“お気に入り”、“ＳＤ選曲”、及び“十八番曲”の各ボタンが操作不可能にトーンダウンする。尚、車両走行時には、“十八番曲”ボタン及び“予約再生”ボタン以外の各ボタンは、走行規制のために操作不可能にトーンダウンする。以下、タッチディスプレイ２６に現れるボタンは、原則として車両走行中は操作不可能にトーンダウンする。
【００３９】
図４は、本実施例において“番号選曲”ボタンが押下された際に現れるタッチディスプレイ２６の表示画面を模式的に表した図を示す。また、図５は、本実施例において“お気に入り”ボタンが押下された際に現れるタッチディスプレイ２６の表示画面を模式的に表した図を示す。
【００４０】
カラオケモード時に図３に示す表示画面において“番号選曲”ボタンが押下されると、タッチディスプレイ２６の表示画面は、図３に示す画面から図４に示す画面へ切り替わる。かかる図４に示す画面において、サーバ２２のデータベースに格納された曲データの固有識別番号が入力操作され、“取得開始”ボタンが押下されると、車載端末２０は、サーバ２２と無線回線接続し、その固有識別番号に対応する曲データのダウンロードを要求する。サーバ２２は、車載端末２０から配信要求された場合、その固有識別番号の曲データをデータベースから抽出すると共に、その曲データの演奏情報等のすべてのデータをその車載端末２０に向けてダウンロードする。車載端末２０は、配信要求後にサーバ２２からの配信データを受信した場合、その曲データを一時記憶ＲＡＭに記憶する。そして、その曲データの取得が完了すると、その曲データによる曲のカラオケ再生、すなわち、スピーカによる伴奏およびタッチディスプレイ２６による歌詞表示（車両走行中は非表示）を開始する。従って、カラオケを希望する曲の固有識別番号を車両搭乗者が知っている場合には、カラオケモード時に「番号選曲」を選択することとすれば、その曲のカラオケを車室内において容易に行うことが可能となる。
【００４１】
また、カラオケモード時に図３に示す表示画面において“お気に入り”ボタンが押下されると、タッチディスプレイ２６の表示画面は、図３に示す画面から図５に示す画面へ切り替わる。かかる図５に示す画面には、自己の利用者がカラオケで歌う頻度の高い好みの曲名が歌手名と共にリスト化された「お気に入りリスト」が表示される。この「お気に入りリスト」は、利用者が予めサーバ２２に保存させたものであり、最大で例えば５０曲まで保有可能である。
【００４２】
ここで、「お気に入りリスト」の作成手法について説明する。図６は、本実施例において「お気に入りリスト」が作成される過程で端末に表示される表示画面を模式的に表した図を示す。尚、図６（Ａ）にはサーバ２２の検索結果の一例が、また、図６（Ｂ）にはお気に入りリストの一例が、それぞれ示されている。
【００４３】
利用者が「お気に入りリスト」を作成しようとする際、まず、利用者の操作により車載端末２０又は携帯電話やパソコン，ＰＤＡにおいてブラウザが起動され、ＷＥＢ上で「お気に入りリスト」に入れる曲名のキーワードや５０音順，歌手名による検索が行われる。そして、サーバ２２において利用者の指示に従った検索が行われると、例えば検索キーが歌手名「山下達郎」である場合は、端末に図６（Ａ）に示す如き表示画面が表示される。
【００４４】
かかる表示画面には、検索結果の各曲にそれぞれ対応して設けられたチェックボックス及び“登録”ボタンが現れる。このチェックボックスに利用者のタッチ操作によるチェックが入ると、その曲が「お気に入りリスト」に入れたい曲として抽出され、その後、登録操作が行われると、その曲が当該利用者の「お気に入りリスト」としてサーバ２２に登録される。このような車載端末２０や携帯電話等を用いて検索および曲の抽出が繰り返されると、「お気に入りリスト」内の曲は追加される。「お気に入りリスト」は各利用者が一つだけサーバ２２内に保有することができ、各「お気に入りリスト」は利用者別にサーバ２２に保存される。
【００４５】
尚、図６に示す表示画面、すなわち、ＷＥＢ検索の結果が示される画面には、「お気に入りリスト」に最大登録される最大登録数（図６においては“５０”）及びその利用者の「お気に入りリスト」の現時点での登録数（図６においては“２０”）が表示される。このため、利用者は、「お気に入りリスト」に入れたい曲を検索結果から抽出して選択する際に、「お気に入りリスト」として登録可能な残りのデータ数（図６に示す画面においては“３０”）を認識することができる。従って、本実施例の構成によれば、車両搭乗者の端末操作により「お気に入りリスト」に曲が追加される際に、「お気に入りリスト」の最大登録数と現時点での登録数とが車両搭乗者に視覚で示されるので、カラオケ曲としてダウンロード頻度の低い曲を「お気に入りリスト」に加えるのを防止することが可能となっている。
【００４６】
また、「お気に入りリスト」がサーバ２２に保存された後、図５に示す表示画面において“完了”ボタンが押下されると、或いは、ＷＥＢ上で車載端末２０や携帯電話等から利用者の指示に従ってリスト表示要求がなされると、端末に図６（Ｂ）に示す如き表示画面が表示される。かかる表示画面には、「お気に入りリスト」の各曲にそれぞれ対応して設けられた削除用チェックボックス及び“削除”ボタンが現れる。何れかの削除チェックボックスに利用者のタッチ操作によるチェックが入り、“削除ボタン”の操作が行われると、その曲がサーバ２２における当該利用者の「お気に入りリスト」から削除される。従って、本実施例の構成によれば、利用者の端末操作により、サーバ２２の「お気に入りリスト」からカラオケ曲として選曲する頻度の少なくなった不要な曲を取り除くことが可能となっている。
【００４７】
本実施例において、各種端末を用いて「お気に入りリスト」がサーバ２２に保存されていても、車載端末２０に「お気に入りリスト」が取り込まれる前は、タッチディスプレイ２６における図５に示す表示画面に何ら曲名および歌手名が表示されることはない。かかる状態で図５に示す表示画面において“更新”ボタンが押下されると、車載端末２０からサーバ２２へ「お気に入りリスト」の取り込み要求がなされ、「お気に入りリスト」が各曲名に対応する固有識別番号と共に、サーバ２２から車載端末２０へ向けてダウンロードされる。尚、この際、車載端末２０が既に「お気に入りリスト」を取り込んでいた場合には、「お気に入りリスト」がダウンロードされたものに更新される。また、図５に示す表示画面において“編集”ボタンが押下されると、ブラウザが起動され、その後、車載端末２０を用いてＷＥＢ上で「お気に入りリスト」の作成・編集処理が実行される。この際、サーバ２２への「お気に入りリスト」の保存処理が実行されると、「お気に入りリスト」が各曲名に対応する固有識別番号と共に、サーバ２２から車載端末２０へ向けてダウンロードされる。
【００４８】
サーバ２２から車載端末２０へ向けて「お気に入りリスト」がダウンロードされた後は、車載端末２０のタッチディスプレイ２６における図３に示す表示画面において“お気に入り”ボタンが押下されると、タッチディスプレイ２６の図５に示す表示画面に、ダウンロードされた「お気に入りリスト」の各曲が示される。かかる状態でその取り込まれた「お気に入りリスト」内の曲のうちから一曲が指定され、“取得開始”ボタンが押下されると、車載端末２０は、サーバ２２と無線回線接続し、その指定された曲の固有識別番号をサーバ２２に向けて送信することにより、その固有識別番号に対応する曲データのダウンロードを要求する。サーバ２２は、車載端末２０から配信要求された場合、その固有識別番号の曲データをデータベースから抽出すると共に、その曲データの演奏情報等のすべてのデータをその車載端末２０に向けてダウンロードする。車載端末２０は、配信要求後にサーバ２２からの配信データを受信した場合、その曲データを一時記憶ＲＡＭに記憶する。そして、その曲データの取得が完了すると、そのデータによる曲のカラオケ再生、すなわち、スピーカによる伴奏およびタッチディスプレイ２６による歌詞表示（車両走行中は非表示）を開始する。
【００４９】
従って、カラオケを行う曲がある範囲に限定されている場合には、「お気に入りリスト」をサーバ２２に作成すると共に、車載端末２０に「お気に入りリスト」を曲別の固有識別番号と共に取り込んだ状態でカラオケモード時に「お気に入り」を選択することとすれば、曲の固有識別番号を入力することなく車室内においてカラオケを行うことが可能となる。かかる手法においては、通常のカラオケの如く曲名と固有識別番号とがリンクして掲載された歌本から利用者が固有識別番号を入力して曲を再生する構成と異なり、紙による歌本なるものを必要としない。また、利用者にとって不要な曲が収録されていないより効果的な曲がリスト化された「お気に入りリスト」をサーバ２２から車載端末２０に提供し、車載端末２０において「お気に入りリスト」からカラオケ再生を行う曲を車両搭乗者に指定させるので、曲選択を迅速に行うことができると共に、最新の曲への対応を迅速に行うことができる。
【００５０】
図７は、本実施例において“ＳＤ選曲”ボタンが押下された際に現れるタッチディスプレイ２６の表示画面を模式的に表した図を示す。カラオケモード時に図３に示す表示画面において“ＳＤ選曲”ボタンが押下されると、タッチディスプレイ２６の表示画面は、図３に示す画面から図７に示す画面へ切り替わる。かかる図７に示す画面には、ポップス，演歌等の曲のジャンルを特定するための“ジャンル選択”ボタン、歌手名を特定するための“歌手選択”ボタン、及び曲名を特定するための“曲選択”ボタンが現れる。
【００５１】
図８は、本実施例において“ＳＤ選曲”ボタンが押下された後に現れるタッチディスプレイ２６の表示画面を模式的に表した図を示す。尚、図８（Ａ）には“ジャンル選択”ボタンが押下された際の画面を、図８（Ｂ）には“歌手選択”ボタンが押下された際の画面を、また、図８（Ｃ）には“曲選択”ボタンが押下された際の画面を、それぞれ示している。ジャンル選択”ボタン、“歌手選択”ボタン、又は“曲選択”ボタンが押下されると、タッチディスプレイ２６の表示画面は、図７に示す画面から図８（Ａ）、（Ｂ）、又は（Ｃ）に示す画面へ切り替わる。
【００５２】
車載端末２０のメモリカードスロット２８に曲識別データが書き込まれたＳＤカードが挿入された状態で、曲のジャンル、歌手名、又は曲名が車両搭乗者により指定されると、ＳＤカードに書き込まれた曲の範囲でその指定に従った検索が行われる。そして、図８（Ｃ）の検索結果が示された曲選択画面において一曲が指定され、“取得開始”ボタンが押下されると、車載端末２０は、サーバ２２と無線回線接続し、その指定された曲の固有識別番号をサーバ２２に向けて送信することにより、その固有識別番号に対応する曲データのダウンロードを要求する。サーバ２２は、車載端末２０から配信要求された場合、その曲データの演奏情報等のすべてのデータをその車載端末２０に向けてダウンロードする。車載端末２０は、配信要求後にサーバ２２からの配信データを受信した場合、その曲データを一時記憶ＲＡＭに記憶する。そして、その曲データの取得が完了した場合、そのデータによる曲のカラオケ再生を開始する。従って、曲識別データが書き込まれたＳＤカードが存在する場合には、カラオケモード時に「ＳＤ選曲」を選択することとすれば、曲の固有識別番号を入力することなく車室内においてカラオケを行うことが可能となる。
【００５３】
また、本実施例において、車載端末２０は、一時記憶ＲＡＭ以外に一曲分の曲データを保存することが可能な不揮発性のメモリを有している。一時記憶ＲＡＭに記憶された曲データが再生されている最中にタッチディスプレイ２６上で所定のボタンが押下されると、その再生中の曲データが上記の不揮発性メモリに格納される。
【００５４】
カラオケモード時に図３に示す表示画面において“十八番曲”ボタンが押下されると、車載端末２０は、不揮発性メモリに格納されている曲データを一時記憶ＲＡＭにコピーし、その曲のカラオケ再生を開始する。従って、車両搭乗者が複数回にわたってカラオケを行う“十八番”の曲が存在する場合には、その曲を不揮発性メモリに格納すると共にカラオケモード時に「十八番曲」を選択することとすれば、カラオケごとに車載端末２０がサーバ２２から曲データをダウンロードする必要はなく、簡易に十八番の曲のカラオケを車室内において行うことが可能となる。
【００５５】
ところで、カラオケ時の選曲手法として、上記の“番号選曲”、“お気に入り”、“ＳＤ選曲”、及び“十八番曲”が選択される場合は、カラオケ曲の取得・再生が一曲ずつ行われる。すなわち、車両搭乗者の操作を伴うことなく２曲以上連続してカラオケ再生を行うことはできない。特に、車載端末２０は、車両に搭載されるものであるため、走行規制に起因して車両搭乗者による操作可能な時期が限られている。従って、車室内において車両搭乗者がカラオケを楽しむためには、上記の選曲手法だけでは十分ではない。
【００５６】
そこで、本実施例のシステムにおいては、車両走行中にもその搭乗者がカラオケを楽しむことができるように、カラオケの選曲手法として“予約再生”が存在する。この“予約再生”は、利用者が一々選曲操作を行うことなく、利用者又はその同乗者によりカラオケで歌われる曲が予めリスト化された「予約再生リスト」に基づいて登録順又はランダムに曲データ取得およびカラオケ再生を繰り返す選曲方法である。この「予約再生リスト」も、予めサーバ２２に保存されているものであり、最大で例えば５０曲まで保有可能である。
【００５７】
ここで、「予約再生リスト」の作成手法について説明する。利用者が「予約再生リスト」を作成しようとする際、まず、「お気に入りリスト」の作成時と同様に、利用者の操作により車載端末２０又は携帯電話やパソコン，ＰＤＡにおいてブラウザが起動され、ＷＥＢ上で予約再生リストに入れる曲がキーワード等による検索や固有識別番号入力等に従って利用者により演奏順又はランダムに複数抽出される。そして、登録操作が行われると、それらの曲が当該利用者の「予約再生リスト」としてサーバ２２に登録される。「予約再生リスト」は各利用者が一つだけサーバ２２内に保有することができ、各「予約再生リスト」は利用者別にサーバ２２に保存される。
【００５８】
尚、車両走行中は、走行規制のために車載端末２０からサーバ２２への「予約再生リスト」の作成および曲の追加を行うことができないが、同乗者の携帯電話等を用いてサーバ２２への「予約再生リスト」の作成および曲の追加を行うことは可能である。また、「予約再生リスト」についても「お気に入りリスト」と同様に、一旦予約再生リストに加わった曲を削除できるようにしてもよい。更に、「予約再生リスト」に最大登録される曲の最大登録数および現時点での曲の登録数をタッチディスプレイ２６に表示することとしてもよい。
【００５９】
図９は、本実施例においてカラオケ曲の“予約再生”が行われる過程における「予約再生リスト」のデータ変化を表した図を示す。本実施例のシステムにおいて、複数の曲からなる「予約再生リスト」がサーバ２２に保存されている状態で、カラオケモード時、車載端末２０のタッチディスプレイ２６における図３に示す表示画面において“予約再生”ボタンが押下されると、車載端末２０は、サーバ２２と無線回線接続し、「予約再生リスト」内の曲データのダウンロードを要求する。
【００６０】
サーバ２２は、車載端末２０から“予約再生”による配信要求がなされた場合、保存するその利用者の「予約再生リスト」から最初に登録された一曲又はランダムな一曲の曲データを抽出すると共に、その曲データの演奏情報等のすべてのデータをその車載端末２０に向けてダウンロードする。車載端末２０は、“予約再生”による配信要求後にサーバ２２からの配信データを受信した場合、その曲データを一時記憶ＲＡＭに記憶する。そして、その曲データの取得が完了すると、そのデータによる曲のカラオケ再生を開始すると共に、サーバ２２に向けて配信データの取得完了通知を行う。サーバ２２は、曲データ配信後にその車載端末２０からの取得完了通知を受信した場合、図９に示す如く、その曲データを「予約再生リスト」から削除する。
【００６１】
車載端末２０は、“予約再生”による配信が行われた曲のカラオケ再生が終了した場合又はその曲のスキップ処理がなされた場合、「予約再生リスト」内の次曲のデータのダウンロードをサーバ２２に要求する。サーバ２２は、“予約再生”による次曲の配信要求がなされた場合は、前曲が取得完了通知により既に削除されているその利用者の「予約再生リスト」から一曲の曲データを抽出し、その曲データの演奏情報等のすべてのデータをその車載端末２０に向けてダウンロードする。以下、車載端末２０及びサーバ２２は、上記した処理を繰り返し行う。そして、サーバ２２は、「予約再生リスト」内の曲のデータをすべてダウンロードし、最後の曲データに係る取得完了通知を車載端末２０から受信すると、その利用者の「予約再生リスト」内に予約再生曲が存在しない状態となり、車載端末２０に対して予約再生曲が存在しない旨を通知する。
【００６２】
かかる手法においては、予めサーバ２２に複数の曲からなる「予約再生リスト」を作成することとすれば、車両搭乗者がカラオケ曲の取得・再生の操作を一曲ずつ行う必要はなく、車室内において２曲以上連続してカラオケ再生を行うことができる。従って、予め「予約再生リスト」をサーバ２２に作成すると共に、カラオケモード時に「予約再生」を選択することとすれば、カラオケで歌う曲がリスト化された車両搭乗者にとって効果的な「予約再生リスト」内の曲データが継続してサーバ２２から提供されるので、車両搭乗者が一々選曲操作を行うことなく継続して車室内において好みの曲のカラオケを行うことが可能となる。
【００６３】
また、上記の如く、車両走行中にも運転者以外の同乗者の携帯電話等からサーバ２２への「予約再生リスト」の曲追加を行うことは可能である。このため、車両走行中に「予約再生リスト」内の曲数が少なくなった際、又は、処理負荷軽減のためにカラオケ再生中における車載端末２０による選曲機能を行うことができなくても、同乗者の携帯電話等を用いて「予約再生リスト」内の曲を追加することとすれば、その後も継続してカラオケを楽しむことが可能となる。
【００６４】
更に、本実施例において、車両走行時、車載端末２０のタッチディスプレイ２６における“十八番曲”ボタン及び“予約再生”ボタン以外の各ボタンは走行規制のために操作不可能にトーンダウンするが、“予約再生”ボタン及び“十八番曲”ボタンは共に操作可能である。すなわち、車両走行中にも“予約再生”ボタンが押下されれば、車載端末２０にサーバ２２に保存された「予約再生リスト」内の曲データが順番にダウンロードされるので、「予約再生リスト」の曲のカラオケ再生が開始される。また、十八番曲のカラオケ再生を行ううえではサーバ２２から車載端末２０への曲データのダウンロードは不要であるので、車両走行中にも“十八番曲”ボタンが押下されれば、車載端末２０の不揮発性メモリに記憶された十八番曲の曲データに基づいてその曲のカラオケ再生が開始される。従って、本実施例によれば、車両走行時にも「予約再生リスト」の曲および十八番曲のカラオケ再生を行うことが開始することが可能である。
【００６５】
このように、本実施例のシステムにおいては、車両搭乗者が車室内においてカラオケを行う際、▲１▼番号選曲、▲２▼お気に入り選曲、▲３▼ローカル選曲、▲４▼十八番曲、および▲５▼予約再生の５つの選曲手法を用いることができる。従って、車室内においてカラオケを行ううえで車両搭乗者に複数の選曲手法を提供することができ、最適な選曲手法を選択させることができる。
【００６６】
図１０は、本実施例のシステムにおいてカラオケモード時に車載端末２０が実行する制御ルーチンの一例のフローチャートを示す。図１０に示すルーチンは、カラオケモード時に繰り返し実行されるルーチンである。図１０に示すルーチンが起動されると、まずステップ１００の処理が実行される。
【００６７】
ステップ１００では、上記した▲１▼番号選曲、▲２▼お気に入り選曲、▲３▼ローカル選曲、▲４▼十八番曲、および▲５▼予約再生の５つの選曲手法のうちから利用する選曲手法を車両搭乗者に選択させる処理が実行される。本ステップ１００の処理が実行されると、以後、車両搭乗者により選択された選曲手法がカラオケ再生のための選曲手法として用いられる。ステップ１０２では、上記ステップ１００で選択された選曲手法を用いてカラオケ再生を行う曲の選曲を行う処理が実行される。
【００６８】
ステップ１０４では、選曲手法が“十八番曲”である場合を除いて、上記ステップ１０２で選曲された曲の曲データをサーバ２２から取得する処理が実行される。本ステップ１０４の処理が実行される場合は、車載端末２０からサーバ２２へ曲データの取得要求がなされ、その後、サーバ２２がダウンロードした曲データを車載端末２０が取得し、一時記憶ＲＡＭに記憶する。
【００６９】
ステップ１０６では、一時記憶ＲＡＭに記憶された曲データに基づいて曲のカラオケ再生を開始する処理が実行される。本ステップ１０６の処理が実行されると、カラオケ曲のスピーカによる伴奏およびタッチディスプレイ２６による歌詞表示（車両走行中は非表示）が行われ、車両搭乗者がカラオケを行うことが可能となる。本ステップ１０６の処理が終了すると、今回のルーチンは終了される。尚、選曲手法が“予約再生”である場合は、一曲のカラオケ再生が終了すると、本ステップ１０６の処理後、「予約再生リスト」内の次曲のデータを取得・再生すべく上記ステップ１０４以降の処理が実行される。
【００７０】
上記図１０に示すルーチンによれば、カラオケモード時において車両搭乗者に選曲手法を選択させると共に、その選択された選曲手法に従って車載端末２０にサーバ２２からカラオケ曲の曲データを取得させ、カラオケ再生を行わせることができる。すなわち、車載端末２０は、車両搭乗者に車室内においてカラオケを行わせるうえで複数の選曲手法を提供し、選択された選曲手法に従ってカラオケ再生を行う。従って、本実施例によれば、車両搭乗者によるカラオケの選曲の自由度を高めることができ、車両搭乗者に最適な選曲手法を選択させることができるので、カラオケ再生を適切に行うことが可能となっている。
【００７１】
図１１は、本実施例のシステムのＢＧＭモード時における構成図を示す。また、図１２は、本実施例において“ライブチャンネル”ボタンが押下された際に現れるタッチディスプレイ２６の表示画面を模式的に表した図を示す。上記の如く、車載端末２０において車両用楽曲配信のアプリケーションが起動された後、ＢＧＭコースが選択されると、ＢＧＭモードが実現される。
【００７２】
ＢＧＭモード時に図３に示す表示画面において“ライブチャンネル”ボタンが押下されると、タッチディスプレイ２６の表示画面は、図３に示す画面から図１２に示す画面へ切り替わる。かかる図１２に示す画面には、自己の利用者の好みのＢＧＭ曲（歌詞無し）が歌手名又は作曲者名と共にリスト化された「ライブチャンネルリスト」が表示される。この「ライブチャンネルリスト」は、サーバ２２が提供する例えば５曲により構成された夏，クリスマス，スキー，８０年代ヒット等の複数のジャンルのうちから利用者が抽出したジャンルの集合であり、予めサーバ２２に保存させたものであって、最大で例えば１０ジャンルまで保有可能である。
【００７３】
ここで、「ライブチャンネルリスト」の作成手法について説明する。利用者が「ライブチャンネルリスト」を作成しようとする際、まず、「お気に入りリスト」及び「予約再生リスト」の作成時と同様に、利用者の操作により車載端末２０又は携帯電話やパソコン，ＰＤＡにおいてブラウザが起動され、ＷＥＢ上でライブチャンネルリストに入れるジャンルがキーワード等による検索に従って利用者により複数抽出される。そして、登録操作が行われると、それらのジャンルが当該利用者の「ライブチャンネルリスト」としてサーバ２２に登録される。「ライブチャンネルリスト」は各利用者が一だけサーバ２２内に保有することができ、各「ライブチャンネルリスト」は利用者別にサーバ２２に保存される。
【００７４】
尚、「ライブチャンネルリスト」についても、カラオケモードの「お気に入りリスト」と同様に、一旦ライブチャンネルリストに加わったジャンルを削除できるようにしてもよい。更に、「ライブチャンネルリスト」に最大登録されるジャンル又は曲の最大登録数および現時点でのジャンル又は曲の登録数をタッチディスプレイ２６に表示することとしてもよい。
【００７５】
各種端末を用いて「ライブチャンネルリスト」がサーバ２２に保存されていても、車載端末２０に「ライブチャンネルリスト」が取り込まれる前は、タッチディスプレイ２６における図１２に示す表示画面に何らジャンル名および歌手名，作曲家名が表示されることはない。かかる状態で図１２に示す表示画面において“更新”ボタンが押下されると、車載端末２０からサーバ２２へ「ライブチャンネルリスト」の取り込み要求がなされ、「ライブチャンネルリスト」が各ジャンル名に対応する固有識別番号と共に、サーバ２２から車載端末２０へ向けてダウンロードされる。尚、この際、車載端末２０が既に「ライブチャンネルリスト」を取り込んでいた場合には、「ライブチャンネルリスト」がダウンロードされたものに更新される。また、図１２に示す表示画面において“編集”ボタンが押下されると、ブラウザが起動され、その後、車載端末２０を用いてＷＥＢ上で「ライブチャンネルリスト」の作成・編集処理が実行される。この際、サーバ２２への「ライブチャンネルリスト」の保存処理が実行されると、「ライブチャンネルリスト」が各ジャンル名に対応する固有識別番号と共に、サーバ２２から車載端末２０へ向けてダウンロードされる。
【００７６】
図１３（Ａ）は本実施例における「ライブチャンネルリスト」を、また、図１３（Ｂ）はＢＧＭ曲の“ライブチャンネル”再生が行われる過程における「ライブチャンネルリスト」のデータ変化を、それぞれ表した図を示す。サーバ２２から車載端末２０へ向けて「ライブチャンネルリスト」がダウンロードされた後は、車載端末２０のタッチディスプレイ２６における図３に示す表示画面において“ライブチャンネル”ボタンが押下されると、タッチディスプレイ２６の図１２に示す表示画面に「ライブチャンネルリスト」の各ジャンルが示される。かかる状態で例えば図１３に示す如くジャンルＡが指定され、“取得開始”ボタンが押下されると、車載端末２０は、サーバ２２と無線回線接続し、その指定されたジャンルＡの固有識別番号をサーバ２２に向けて送信することにより、その固有識別番号に対応するジャンルＡ内の曲データのダウンロードを要求する。
【００７７】
サーバ２２は、車載端末２０からライブチャンネルによるＢＧＭの配信要求がなされた場合、その固有識別番号のジャンル内の先頭曲の曲データを抽出すると共に、その曲データの演奏情報等のすべてのデータをその車載端末２０に向けてダウンロードする。車載端末２０は、“ライブチャンネル”による配信要求後にサーバ２２からの配信データを受信した場合、その曲データを一時記憶ＲＡＭに記憶し、曲データの取得完了後にそのデータによる曲のＢＧＭ再生、すなわち、スピーカによる演奏を開始すると共に、サーバ２２に向けて配信データの取得完了通知を行う。サーバ２２は、ＢＧＭ曲の曲データ配信後にその車載端末２０からの取得完了通知を受信した場合、図１３（Ｂ）に示す如く、その曲データを配信すべきジャンルから削除する。
【００７８】
車載端末２０は、“ライブチャンネル”による配信が行われた曲のＢＧＭ再生が終了した場合又はその曲のスキップ処理がなされた場合、配信すべきジャンル内の次曲のデータのダウンロードをサーバ２２に要求する。サーバ２２は、“ライブチャンネル”による次曲の配信要求がなされた場合は、前曲が取得完了通知により既に削除されているその利用者の配信すべきジャンルから一曲の曲データを抽出し、その曲データの演奏情報等のすべてのデータをその車載端末２０に向けてダウンロードする。以下、車載端末２０及びサーバ２２は、上記した処理を繰り返し行う。そして、サーバ２２は、配信すべきジャンル内の曲のデータをすべてダウンロードし、最後の曲データに係る取得完了通知を車載端末２０から受信すると、その利用者の配信すべきジャンル内に再生曲が存在しない状態となり、車載端末２０に対して再生曲が存在しない旨の通知を行う。
【００７９】
従って、ＢＧＭを流す曲がある範囲に限定されている場合には、「ライブチャンネルリスト」をサーバ２２に作成すると共に、車載端末２０に「ライブチャンネルリスト」をジャンル別の固有識別番号と共に取り込んだ状態でＢＧＭモード時に「ライブチャンネル」を選択することとすれば、ジャンルの固有識別番号を入力することなく車室内においてＢＧＭを流すことが可能となる。かかる手法においては、利用者にとって不要なジャンルが収録されていないより効果的なジャンルがリスト化された「ライブチャンネルリスト」をサーバ２２から車載端末２０に提供し、車載端末２０において「ライブチャンネルリスト」からＢＧＭを流すジャンルを車両搭乗者に指定させるので、ジャンル選択を迅速に行うことができると共に、最新に構成されたジャンルへの対応を迅速に行うことができる。
【００８０】
“ライブチャンネル”による配信は、複数の曲により構成されたジャンル単位で行われる。このため、一ジャンル内のすべての曲の配信が完了するまでにはある程度多くの時間を要することとなるが、上記したカラオケ再生を行う際の“予約再生”の如く多数のジャンルにわたってＢＧＭ再生を行うことができれば車両搭乗者にとって更に便宜である。
【００８１】
すなわち、本実施例のシステムにおいては、車両走行中に長時間にわたってＢＧＭを流すことができるように、ＢＧＭの選択手法としてカラオケの場合と同様に“予約再生”が存在する。ＢＧＭの“予約再生”は、利用者が一々ＢＧＭ曲のジャンル選曲を行うことなく、ＢＧＭとして流されるジャンルが予めリスト化された「予約再生リスト」に基づいて登録順又はランダムに曲データの取得・再生を繰り返す選曲方法である。ＢＧＭの「予約再生リスト」も、予めサーバ２２に保存されているものであり、最大で例えば１０ジャンルまで保有可能である。
【００８２】
ここで、「予約再生リスト」の作成手法について説明する。利用者がＢＧＭの「予約再生リスト」を作成しようとする際、まず、上記した各リストの作成時と同様に、利用者の操作により車載端末又は携帯電話やパソコン，ＰＤＡにおいてブラウザが起動され、ＷＥＢ上で予約再生リストに入れるジャンルがキーワード等による検索に従って利用者により演奏順又はランダムに複数抽出される。そして、登録操作が行われると、それらのジャンルが当該利用者の「ＢＧＭ用予約再生リスト」としてサーバ２２に登録される。「ＢＧＭ用予約再生リスト」は各利用者が一つだけサーバ２２内に保有することができ、各「ＢＧＭ用予約再生リスト」は利用者別にサーバ２２に保存される。尚、「ＢＧＭ用予約再生リスト」についても、車両走行中に同乗者の携帯電話等を用いてサーバ２２への作成およびジャンルの追加を行うことは可能である。
【００８３】
また、「ＢＧＭ用予約再生リスト」についても、カラオケモードの「お気に入りリスト」と同様に、一旦予約再生リストに加わったジャンルを削除できるようにしてもよい。更に、「ＢＧＭ用予約再生リスト」に最大登録されるジャンル又は曲の最大登録数および現時点でのジャンル又は曲の登録数をタッチディスプレイ２６に表示することとしてもよい。
【００８４】
図１４は、本実施例における「ＢＧＭ用予約再生リスト」の構成を表した図を示す。ＢＧＭ用予約再生リストが作成されると、そのリストに含まれる全ジャンル（尚、図１４においてはジャンルＡ及びジャンルＢ）の全曲データ（尚、図１４においてはジャンルＡの５曲とジャンルＢの５曲との合計曲数１０のデータ）がＢＧＭ曲として配信すべきデータとなる。複数のジャンルからなる「ＢＧＭ用予約再生リスト」がサーバ２２に保存されている状態で、ＢＧＭモード時、車載端末２０のタッチディスプレイ２６における図３に示す表示画面において“予約再生”ボタンが押下されると、車載端末２０は、サーバ２２と無線回線接続し、「ＢＧＭ用予約再生リスト」内のジャンルの曲データのダウンロードを要求する。
【００８５】
サーバ２２は、車載端末２０から“予約再生”によるＢＧＭの配信要求がなされた場合、保存するその利用者の「ＢＧＭ用予約再生リスト」から最初に登録されたジャンル又はランダムなジャンルを選び、そのジャンルの先頭の曲データを抽出すると共に、その曲データの演奏情報等のすべてのデータをその車載端末２０に向けてダウンロードする。車載端末２０は、“予約再生”によるＢＧＭの配信要求後にサーバ２２からの配信データを受信した場合、その曲データを一時記憶ＲＡＭに記憶し、取得完了後にそのデータによる曲のＢＧＭ再生を開始すると共に、サーバ２２に向けて配信データの取得完了通知を行う。サーバ２２は、ＢＧＭ曲の曲データ配信後にその車載端末２０からの取得完了通知を受信した場合、その曲データを配信すべきジャンルから削除する。
【００８６】
車載端末２０は、“予約再生”による配信が行われた曲のＢＧＭ再生が終了した場合又はその曲のスキップ処理がなされた場合、次の曲のダウンロードをサーバ２２に要求する。サーバ２２は、“予約再生”による次の曲の配信要求がなされた場合は、前曲が取得完了通知により既に削除されているその利用者の「ＢＧＭ用予約再生リスト」の削除された曲が属するジャンル内の次曲又は次ジャンルの先頭曲のデータを抽出し、その曲データの演奏情報等のすべてのデータをその車載端末２０に向けてダウンロードする。以下、車載端末２０及びサーバ２２は、上記した処理を繰り返し行う。そして、サーバ２２は、「ＢＧＭ用予約再生リスト」の全ジャンルの全曲データをすべてダウンロードし、最後の曲データに係る取得完了通知を車載端末２０から受信すると、その利用者の「ＢＧＭ用予約再生リスト」内に予約再生曲が存在しない状態となり、車載端末２０に対して予約再生曲が存在しない旨を通知する。
【００８７】
かかる手法においては、予めサーバ２２に複数の曲からなるジャンルを複数連ねた「ＢＧＭ用予約再生リスト」を作成することとすれば、車両搭乗者がＢＧＭ曲のジャンル指定操作をその都度行う必要はなく、車室内において２ジャンル以上連続してＢＧＭ再生を行うことができる。従って、予め「ＢＧＭ用予約再生リスト」をサーバ２２に作成すると共に、ＢＧＭモード時に「予約再生」を選択することとすれば、車両搭乗者が一々ＢＧＭ曲のジャンル選曲を行うことなく継続して車室内において好みのジャンル及び曲をＢＧＭとして流すことが可能となる。
【００８８】
また、上記の如く、車両走行中にも運転者以外の同乗者の携帯電話等からサーバ２２への「ＢＧＭ用予約再生リスト」のジャンル追加を行うことは可能である。このため、車両走行中に「ＢＧＭ用予約再生リスト」内の全曲数が少なくなった際、又は、処理負荷軽減のためにＢＧＭ再生中における車載端末２０による選曲機能を行うことができなくても、同乗者の携帯電話等を用いて「ＢＧＭ用予約再生リスト」にジャンルを追加することとすれば、その後も継続してＢＧＭを楽しむことが可能となる。
【００８９】
このように、本実施例のシステムにおいては、車両搭乗者が車室内においてＢＧＭを流す際、▲１▼ライブチャンネル選曲および▲２▼予約再生の２つの選曲手法を用いることができる。従って、車室内にＢＧＭを流すうえで車両搭乗者に複数のジャンル選曲手法を提供することができ、最適な選曲手法を選択させることができる。
【００９０】
本実施例のシステムにおいて、車載端末２０は、ＢＧＭモード時にも、カラオケモード時と同様に図１０に示す制御ルーチンと同一の制御ルーチンを実行する。かかる処理によれば、ＢＧＭモード時において車両搭乗者に選曲手法を選択させると共に、その選択された選曲手法に従って車載端末２０にサーバ２２からＢＧＭ曲の曲データを取得させ、ＢＧＭ再生を行わせることができる。すなわち、車載端末２０は、車室内にＢＧＭを流すうえで複数の選曲手法を提供し、選択された選曲手法に従ってＢＧＭ再生を行う。従って、本実施例によれば、車両搭乗者によるＢＧＭの選曲の自由度を高めることができ、車両搭乗者に最適な選曲手法を選択させることができるので、ＢＧＭ再生を適切に行うことが可能となっている。
【００９１】
尚、上記の実施例においては、曲データが特許請求の範囲に記載した「データ」に、お気に入りリスト、予約再生リスト、及びライブチャンネルリストが特許請求の範囲に記載した「データリスト」に、車載端末２０及び携帯電話やパソコン，ＰＤＡ等が特許請求の範囲に記載した「リスト作成端末」に、車載端末２０が特許請求の範囲に記載した「データ実行処理端末」に、携帯電話やパソコン，ＰＤＡ等が特許請求の範囲に記載した「携帯端末」に、それぞれ相当している。
【００９２】
また、上記の実施例においては、サーバ２２が、利用者の指示に従った曲名のキーワードや５０音順，歌手名による検索を行うことにより特許請求の範囲に記載した「検索手段」が、検索結果および車載端末２０からの配信要求に従った曲データを利用者の端末に提供することにより特許請求の範囲に記載した「提供手段」が、車載端末２０又は携帯電話やパソコン，ＰＤＡ等を用いた登録操作によりお気に入りリスト、予約再生リスト、又はライブチャンネルリストを保存することにより特許請求の範囲に記載した「リスト保存手段」が、それぞれ実現されている。
【００９３】
また、上記の実施例においては、車載端末２０又は携帯電話やパソコン，ＰＤＡ等が、サーバ２２に保存すべきお気に入りリスト、予約再生リスト、又はライブチャンネルリストを作成することにより特許請求の範囲に記載した「データリスト作成手段」が、サーバ２２により行われた利用者の指示に従った曲名のキーワードや５０音順，歌手名による検索結果のうちから利用者の指示に従った曲又はジャンルを抽出することにより特許請求の範囲に記載した「抽出手段」が、サーバ２２に保存されたお気に入りリストから利用者の指定に係る曲を削除することにより特許請求の範囲に記載した「指定データ削除手段」が、サーバ２２による検索結果並びにお気に入りリストに最大登録される曲の最大登録数および現時点での曲の登録数をタッチディスプレイ２６に表示することにより特許請求の範囲に記載した「表示手段」が、それぞれ実現されている。
【００９４】
また、上記の実施例においては、車載端末２０が、利用者の指示に従ってサーバ２２に保存されたお気に入りリスト又はライブチャンネルリストを取り込むことにより特許請求の範囲に記載した「リスト取込手段」が、サーバ２２から取り込んだお気に入りリスト内の曲またはライブチャンネルリスト内のジャンルのうちから車両搭乗者により指定された曲またはジャンルの曲データのダウンロードをサーバ２２に要求することにより、或いは、サーバ２２に保存された予約再生リスト内の曲又はジャンルの曲データのダウンロードを車両搭乗者の操作により登録順またはランダムにサーバ２２に要求することにより特許請求の範囲に記載した「ダウンロード手段」が、サーバ２２からダウンロードされた曲のカラオケ再生又はＢＧＭ再生を行うことにより特許請求の範囲に記載した「実行手段」が、カラオケの選曲手法をお気に入りおよび予約再生の何れかから車両搭乗者に選択させることにより、或いは、ＢＧＭの選曲手法をライブチャンネルおよび予約再生の何れかから車両搭乗者に選択させることにより特許請求の範囲に記載した「選択手段」が、それぞれ実現されている。
【００９５】
ところで、上記の実施例においては、サーバ２２が、固有識別番号が付された多数の曲データを格納するデータベースを有し、かかるデータベースから指定した曲データを車載端末２０にダウンロードすることとしているが、サーバ２２自体はかかるデータベースを有することなく、サーバ２２の契約する曲データを提供し得るコンテンツプロバイダがデータベースを有し、そのデータベースから指定した曲データを車載端末２０にダウンロードすることとしてもよい。尚、サーバ２２は複数のコンテンツプロバイダと契約することとしてもよく、この場合には、これらのコンテンツプロバイダが同一の曲に対して互いに異なる識別番号を付すこととなるが、サービス提供時に利用者に使用するコンテンツプロバイダを指定させることとすればよい。また、この場合、利用者は、コンテンツプロバイダごとに「お気に入りリスト」、「予約再生リスト」、及び「ライブチャンネルリスト」をサーバ２２に作成することが可能となる。
【００９６】
また、上記の実施例においては、カラオケ曲又はＢＧＭ曲の楽曲配信が行われるが、本発明はこれに限定されるものではなく、映画配信や朗読本の配信に適用することも可能である。更に、上記の実施例においては、車両に搭載された車載端末２０に曲データを配信するものであるが、車載端末２０に限らず、利用者の携帯する携帯端末やＰＤＡ等に配信するものであってもよい。
【００９７】
【発明の効果】
上述の如く、請求項１、２、１２、１３、及び１４記載の発明によれば、利用者が配信希望のデータを指定する際により効果的なデータがリスト化されたデータリストをサーバから提供させることができる。
【００９８】
請求項３及び１５記載の発明によれば、サーバの保存するデータリストから不要なデータを取り除くことができる。
【００９９】
請求項４及び１６記載の発明によれば、現時点で登録可能な残りのデータ数を利用者に認識させることができるので、配信頻度の低いデータをデータリストに加えるのを防止することができる。
【０１００】
請求項５、６、及び１７記載の発明によれば、利用者にとって効果的なデータがリスト化されたデータリストを端末が取得することができ、実行処理すべきデータを利用者に適切に指定させることができる。
【０１０１】
請求項７及び１８記載の発明によれば、利用者にとって効果的なデータがリスト化されたデータリスト内のデータをサーバから提供させることができる。
【０１０２】
請求項８記載の発明によれば、車両走行中には車載端末を用いてデータリストの作成およびデータの追加，削除等を行うことはできない一方で、利用者の携帯端末を用いてデータリストの作成等を行うことができる。
【０１０３】
請求項９及び１９記載の発明によれば、端末が利用者にとって効果的なデータがリスト化されたデータリスト内のデータを所定の順序で取得することができ、複数のデータの実行処理を行うことができる。
【０１０４】
請求項１０及び２０記載の発明によれば、データ取得ごとに利用者による操作を要することなく複数のデータの実行処理を行うことができる。
【０１０５】
また、請求項１１及び２１記載の発明によれば、データ選択の自由度を高めることができ、データ実行処理端末がデータの実行処理を適切に行うことができる。
【図面の簡単な説明】
【図１】本発明の一実施例であるシステムの全体構成図である。
【図２】本実施例においてカラオケモード又はＢＧＭモードが開始された後における車載端末の表示画面を模式的に表した図である。
【図３】本実施例においてカラオケモード又はＢＧＭモードが開始された後における車載端末の表示画面を模式的に表した図である。
【図４】本実施例において“番号選曲”ボタンが押下された際に現れる車載端末の表示画面を模式的に表した図である。
【図５】本実施例において“お気に入り”ボタンが押下された際に現れる車載端末の表示画面を模式的に表した図である。
【図６】本実施例において「お気に入りリスト」が作成される過程で端末に表示される表示画面を模式的に表した図である。
【図７】本実施例において“ＳＤ選曲”ボタンが押下された際に現れる車載端末の表示画面を模式的に表した図である。
【図８】本実施例において“ＳＤ選曲”ボタンが押下された後に現れる車載端末の表示画面を模式的に表した図である。
【図９】本実施例においてカラオケ曲の“予約再生”が行われる過程における「予約再生リスト」のデータ変化を表した図である。
【図１０】本実施例のシステムにおいてカラオケモード時に車載端末が実行する制御ルーチンのフローチャートである。
【図１１】本実施例のシステムのＢＧＭモード時における構成図である。
【図１２】本実施例において“ライブチャンネル”ボタンが押下された際に現れる車載端末の表示画面を模式的に表した図である。
【図１３】図１３（Ａ）は本実施例における「ライブチャンネルリスト」を、また、図１３（Ｂ）はＢＧＭ曲の“ライブチャンネル”再生が行われる過程における「ライブチャンネルリスト」のデータ変化を、それぞれ表した図である。
【図１４】本実施例における「ＢＧＭ用予約再生リスト」の構成を表した図である。
【符号の説明】
２０　車載端末
２２　サービス提供用サーバ
２４　通信部
２６　タッチディスプレイ
【図１】
2004109350.tif 000003
【図２】
2004109350.tif 000004
【図３】
2004109350.tif 000005
【図４】
2004109350.tif 000006
【図５】
2004109350.tif 000007
【図６】
2004109350.tif 000008
【図７】
2004109350.tif 000009
【図８】
2004109350.tif 000010
【図９】
2004109350.tif 000011
【図１０】
2004109350.tif 000012
【図１１】
2004109350.tif 000013
【図１２】
2004109350.tif 000014
【図１３】
2004109350.tif 000015
【図１４】
2004109350.tif 000016